(57)【要約】【課題】再帰反射板越しに取付凹部の底面を見た場合に、取付凹部の底面とそこに形成された窪みとを視覚的に識別できないようにする。【解決手段】再帰反射装置１が、保持部材１０と、保持部材１０に形成された取付凹部１１と、取付凹部１１の底面１１ａに形成された窪み１３と、取付凹部１１に嵌め込まれた再帰反射板２０と、を備える。取付凹部１１の底面１１ａ及び窪み１３がシボ加工されている。【選択図】図１
2014143120.tif 000002
【特許請求の範囲】
【請求項１】
保持部材と、
前記保持部材に形成された取付凹部と、
前記取付凹部の底面に形成された窪みと、
前記取付凹部に嵌め込まれた再帰反射板と、を備え、
前記取付凹部の前記底面及び前記窪みがシボ加工されている、
ことを特徴とする再帰反射装置。
【請求項２】
前記取付凹部の周壁部に形成された爪と、
前記再帰反射板の裏側の面の縁寄りに設けられたフックと、を更に備え、
前記窪みが前記取付凹部の前記底面のうち前記取付凹部の前記周壁部寄りに形成され、
前記爪が前記取付凹部の前記周壁部のうち前記窪みに沿う部位に形成され、
前記フックが前記爪に引っ掛かる、
ことを特徴とする請求項１に記載の再帰反射装置。
【発明の詳細な説明】
【技術分野】
【０００１】
本発明は再帰反射装置に関する。
【背景技術】
【０００２】
従来、車両用灯具には、再帰反射板が設けられている（例えば、特許文献１参照）。特許文献１に記載の技術では、車両用灯具のハウジング（３）に取付凹部（区画４６）が設けられており、再帰反射板（リフレックスリフレクタ６）がその取付凹部を塞ぐようにしてその取付凹部（４６）に取り付けられている。再帰反射板の裏側であって取付凹部の底面には窪みが形成され、その窪みによる段差（３１ｃａ）が形成されている。
【先行技術文献】
【特許文献】
【０００３】
【特許文献１】特開２０１１−２３３２５０号公報
【発明の概要】
【発明が解決しようとする課題】
【０００４】
再帰反射板は光を再帰反射するものであるが、僅かな光が再帰反射板を通過する。そのため、再帰反射板の裏側にある窪みに陰が形成され、窪みの像が再帰反射板に映ることがある。
そこで、本発明が解決しようとする課題は、再帰反射板越しに取付凹部の底面を見た場合に、窪みとその周囲の底面とを視覚的に識別できないようにすることである。
【課題を解決するための手段】
【０００５】
以上の課題を解決するために、請求項１に係る発明は、保持部材と、前記保持部材に形成された取付凹部と、前記取付凹部の底面に形成された窪みと、前記取付凹部に嵌め込まれた再帰反射板と、を備え、前記取付凹部の前記底面及び前記窪みがシボ加工されていることを特徴とする再帰反射装置である。
【０００６】
請求項２に係る発明は、前記取付凹部の周壁部に形成された爪と、前記再帰反射板の裏側の面の縁寄りに設けられたフックと、を更に備え、前記窪みが前記取付凹部の前記底面のうち前記取付凹部の前記周壁部寄りに形成され、前記爪が前記取付凹部の前記周壁部のうち前記窪みに沿う部位に形成され、前記フックが前記爪に引っ掛かることを特徴とする請求項１に記載の再帰反射装置である。
【発明の効果】
【０００７】
本発明によれば、再帰反射板を通過した光がシボ加工によって乱反射されるから、取付凹部の底面に形成された窪みの像が再帰反射板の表面に非常にぼけて映る。よって、再帰反射板越しに取付凹部の底面を見た場合、窪みとその周囲の底面とを視覚的に識別することができない。
【図面の簡単な説明】
【０００８】
【図１】本発明の実施の形態に係る再帰反射装置の分解斜視図である。
【図２】II−II断面図である。
【図３】図２の一部の拡大図である。
【発明を実施するための形態】
【０００９】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１０】
図１は、再帰反射装置１の分解斜視図である。図２は、図１に示したII−IIに沿った面を矢印方向に向かって見て示した断面図である。図３は、図２に示すIIIの領域の拡大図である。
【００１１】
この再帰反射装置（リフレックスリフレクタ）１は自動車に取り付けられるものであっって、自動車の後部又は側部を表示する表示器として利用される。より具体的には、この再帰反射装置１が車両用灯具（テールランプ、ストップランプ、ターンシグナルランプ、リアコンビネーションランプその他信号灯）に組み込まれており、この再帰反射装置１と車両用灯具がユニット化されて、その灯具ユニットが車両に取り付けられる。
【００１２】
再帰反射装置１は保持部材１０及び再帰反射板２０等を備える。
この保持部材１０は車両用灯具のハウジング、エクステンション又はリフレクタ等の部品９９と一体に成型されたものである。保持部材１０には取付凹部１１及び囲い壁部１２が形成されおり、取付凹部１１が囲い壁部１２によって囲われており、囲い壁部１２が取付凹部１１の内周壁を構成する。なお、素通しのアウターレンズが保持部材１０の表側から部品９９に取り付けられ、アウターレンズと再帰反射板２０と保持部材１０の三重構造が前記灯具ユニットの側部に設けられてもよい。
【００１３】
取付凹部１１の底面１１ａは平面であるか、曲率が小さくて緩やかに湾曲した曲面である。取付凹部１１の底面１１ａに窪み１３が形成されており、その窪み１３に爪１４が形成されている。より具体的には、窪み１３が取付凹部１１の底面１１ａうち取付凹部１１の内周壁（囲い壁部１２）寄りの部位に形成されており、爪１４が囲い壁部１２のうち窪み１３に沿う部位に形成されている。爪１４は囲い壁部１２から取付凹部１１の内側へ突出し、窪み１３の凹む方向に見て爪１４が窪み１３の一部に重なっている。取付凹部１１が浅く、取付凹部１１の底面１１ａを基準とした囲い壁部１２の高さが低い場合でも、窪み１３が形成されていることによって爪１４を囲い壁部１２に形成し、爪１４の裏側にスペースを確保することができる。
【００１４】
取付凹部１１の底面１１ａ及び窪み１３にはシボ加工が施された上で、反射膜（アルミニウム等の金属蒸着膜）が成膜されている。囲い壁部１２にも反射膜が成膜されていてもよい。
【００１５】
保持部材１０は再帰反射板２０を取付凹部１１内に保持するものである。再帰反射板２０が取付凹部１１の形状と同じ形状に形作られている。その再帰反射板２０が取付凹部１１の底面１１ａに対向するようにして取付凹部１１に嵌め込まれている。
【００１６】
再帰反射板２０の裏側の面には、複数の再帰反射素子（例えば、コーナーキューブ）２１が形成されている。なお、再帰反射板２０の再帰反射原理はコーナーキューブを利用したものに限るものではない。例えば複数のガラスビーズが板状の基材の表側の面又は裏側の面に塗布されて付着されたものでもよいし、再帰反射シートが複数の板状の基材の表側の面又は裏側の面に貼り付けられたものでもよい。
【００１７】
再帰反射板２０の裏側の面のうち縁寄りの部位には、フック２２が形成されている。フック２２には、外方へ開口した嵌合凹部２３が形成されている。更に、フック２２のうち嵌合凹部２３よりも先端寄りの部位には、外方へ突出した突起２４が形成されている。
【００１８】
フック２２が再帰反射板２０の裏側の面から後方へ突出し、フック２２の先端部位が窪み１３に入り込んで、そのフック２２が爪１４に引っ掛かっている。つまり、フック２２の嵌合凹部２３が爪１４に対応した形状に形成されており、爪１４が嵌合凹部２３に嵌め込まれ、突起２４が爪１４の裏側において爪１４に当接する。フック２２が爪１４に係止することによって再帰反射板２０が取付凹部１１に固定される。
【００１９】
再帰反射板２０の表側から再帰反射板２０に入射した光の殆どは再帰反射板２０によって再帰反射される。
再帰反射板２０の表側から再帰反射板２０に入射した光の一部が再帰反射板２０を透過する。取付凹部１１の底面１１ａ及び窪み１３がシボ加工されているので、再帰反射板２０を通過した光が取付凹部１１の底面１１ａ及び窪み１３によって乱反射される。その乱反射された光は再帰反射板２０を通過する。よって、窪み１３の像（窪み１３に形成された僅かな陰の像）が再帰反射板２０の表面に非常にぼけて映る。つまり、再帰反射板２０越しに取付凹部１１の底面１１ａを見ても、窪み１３やそれによる陰を視認しにくく、窪み１３と底面１１ａを識別しにくい。従って、再帰反射装置１の見栄えが向上する。
【００２０】
保持部材１０が薄く、取付凹部１１が浅いと、爪１４を形成すべく、取付凹部１１の底面１１ａに窪み１３を形成せざるを得ない。そのような場合にも、底面１１ａ及び窪み１３のシボ加工は窪み１３を目立たせなくするのに有効である。窪み１３を目立たせなくしつつ、窪み１３の形成によって保持部材１０を薄くすることができるので、見栄えの良い再帰反射装置１の裏側にスペースを確保することができる。よって、再帰反射装置１を車両用灯具と組み合わせて用いる際に、車両用灯具の各種部品を再帰反射装置１の裏側に設置することができる。
【００２１】
なお、本発明を適用可能な実施形態は、上述した実施形態に限定されることなく、本発明の趣旨を逸脱しない範囲で上述した実施形態から変更可能である。
例えば、爪１４は反射膜によって被覆されていているか、シボ加工された上で反射膜によって被覆されていてもよい。
【００２２】
また、再帰反射装置１が車両用灯具に組み込まれたものではなく、車両用灯具とは別に車両に取り付けられてもよい。つまり、保持部材１０が車両用灯具の部品９９と別に成型されたでもよい。
【００２３】
また、再帰反射装置１の用途は自動車に限るものではない。例えば、自転車の後部を表示する表示器、各種信号や警告を表示する表示器等に再帰反射装置１を利用することができる。
【符号の説明】
【００２４】
１  再帰反射装置
１０  保持部材
１１  取付凹部
１１ａ  底面
１２  囲い壁部（周壁部）
１３  窪み
１４  爪
２２  フック
【図１】
2014143120.tif 000003
【図２】
2014143120.tif 000004
【図３】
2014143120.tif 000005